(57)【要約】【課題】交換レンズを非回転で撮像装置本体に着脱するストレート嵌合式のレンズマウントにおいて、接点端子部の接触信頼性を高める。【解決手段】交換レンズ１００のレンズ接点端子片１０４と撮像装置本体２００のマウント接点端子ピン１０２とを接触させて交換レンズ１００と撮像装置本体２００との間で電気信号通信を行うレンズマウントにおいて、撮像装置本体２００の本体側マウント部に交換レンズ１００のレンズ側マウント部１１０が落とし込まれる開口部２２２を設け、レンズ側マウント部１１０が開口部２２２に光軸方向に沿って落とし込まれてレンズ接点端子片１０４とマウント接点端子ピン１０２とが接触したときに、レンズ側マウント部１００と本体側マウント部との間に隙間が形成されていることによってレンズ接点端子片１０４とマウント接点端子ピン１０２とが光軸に略垂直な方向で擦れ合う構造とする。【選択図】図４
2013218151.tif 000002
【特許請求の範囲】
【請求項１】
交換レンズと撮像装置本体との間で電気信号通信を行う撮像装置において前記交換レンズを前記撮像装置本体に対して着脱するために前記撮像装置本体に設けられるレンズマウントであって、
前記交換レンズのレンズ側マウント部が落とし込まれる開口部を有する本体側マウント部と、
前記交換レンズが前記撮像装置本体に装着された状態で、前記交換レンズに設けられたレンズ側接点端子部に対して付勢されて前記レンズ側接点端子部と接触する本体側接点端子部とを有し、
前記レンズ側マウント部が前記本体側マウント部の前記開口部に光軸方向に沿って落とし込まれ、前記レンズ側接点端子部と前記本体側接点端子部とが接触したときに前記レンズ側マウント部と前記本体側マウント部との間に隙間が形成されていることによって前記レンズ側接点端子部と前記本体側接点端子部とが光軸に略垂直な方向で擦れ合うことを特徴とするレンズマウント。
【請求項２】
前記本体側マウント部は、前記レンズ側マウント部を前記本体側マウント部の前記開口部に光軸方向に沿って落とし込む際に前記レンズ側マウント部を案内する案内部を有し、
前記隙間は前記案内部において形成されることを特徴とする請求項１記載のレンズマウント。
【請求項３】
前記本体側マウント部は、
前記交換レンズのレンズ側マウント面と当接する本体側マウント面と、第１のねじ部とを有する固定マウント部と、
前記交換レンズのバヨネット爪部と係合する爪部と、前記第１のねじ部と螺合する第２のねじ部とを有する可動マウント部とを備え、
前記バヨネット爪部と前記爪部とが光軸投影上で重なっていない状態から前記可動マウント部を光軸を中心として回転させて前記第１のねじ部と前記第２のねじ部との螺合にしたがって前記爪部と前記バヨネット爪部とを係合させることにより前記交換レンズが前記撮像装置本体に固定されることを特徴とする請求項１又は２に記載のレンズマウント。
【請求項４】
撮像装置本体に対する交換レンズの着脱が可能であり、前記交換レンズのレンズ側マウント部が前記撮像装置本体の本体側マウント部に装着された状態で互いに接触する前記交換レンズのレンズ側接点端子部と前記撮像装置本体の本体側接点端子部とを通じて、前記交換レンズと前記撮像装置本体との間で電気信号通信を行う撮像装置であって、
前記本体側マウント部は、前記交換レンズを前記撮像装置本体に装着する際に前記レンズ側マウント部が落とし込まれる開口部を有し、
前記レンズ側マウント部が前記開口部に光軸方向に沿って落とし込まれて前記レンズ側接点端子部と前記本体側接点端子部とが接触したときに、前記レンズ側マウント部と前記本体側マウント部との間に隙間が形成され、前記レンズ側接点端子部に対して光軸方向において前記本体側接点端子部が付勢された状態で、前記レンズ側接点端子部と前記本体側接点端子部とが光軸に略垂直な方向で擦れ合うことを特徴とする撮像装置。
【請求項５】
前記本体側マウント部は、前記レンズ側マウント部を前記開口部に光軸方向に沿って落とし込む際に前記レンズ側マウント部を案内する本体側案内部を有し、
前記レンズ側マウント部は、前記本体側案内部によって案内されるレンズ側案内部を有し、
前記隙間は、前記レンズ側マウント部を前記本体側マウント部の前記開口部に光軸方向に沿って落とし込む際に、前記本体側案内部と前記レンズ側案内部とが光軸に垂直な方向で重なる状態となったときに、前記本体側案内部と前記レンズ側案内部との間に形成されることを特徴とする請求項４記載の撮像装置。
【請求項６】
前記本体側マウント部は、
前記交換レンズのレンズ側マウント面と当接する本体側マウント面と、第１のねじ部とを有する固定マウント部と、
前記交換レンズのバヨネット爪部と係合する爪部と、前記第１のねじ部と螺合する第２のねじ部とを有する可動マウント部とを備え、
前記バヨネット爪部と前記爪部とが光軸投影上で重なっていない状態から前記可動マウント部を光軸を中心として回転させて前記第１のねじ部と前記第２のねじ部との螺合にしたがって前記爪部と前記バヨネット爪部とを係合させることにより前記交換レンズが前記撮像装置本体に固定されることを特徴とする請求項４又は５に記載の撮像装置。
【発明の詳細な説明】
【技術分野】
【０００１】
本発明は、レンズ交換が可能な撮像装置のレンズマウントに関し、特に、交換レンズと撮像装置本体との間で電気信号通信を行うための接点端子部の構造に関する。
【背景技術】
【０００２】
撮像装置本体に対して交換レンズが着脱可能な構造を有する撮像装置として、撮像装置本体と交換レンズとの間で電気信号通信を行うことにより、交換レンズの駆動制御を行うものが知られている。このような撮像装置では、撮像装置本体と交換レンズのそれぞれに、給電及び電気信号通信を行うための接点端子部が設けられる。
【０００３】
例えば、交換レンズを撮像装置本体に対して光軸回りに回転させて着脱を行うレンズマウントにおいて、撮像装置本体のコネクタに圧接導通する電気コネクタを、接点カバー、接点ピンを個設した接点支持板、導通部を有する導体支持板、導通部を接点支持板に個設した接点ピンに圧接する弾性部材で構成する。そして、接点カバー、接点支持板、導体支持板、弾性部材の順に配列し、接点支持板、導体支持板及び弾性部材の端面をそれぞれ、櫛歯状に形成したものが知られている（特許文献１参照）。
【先行技術文献】
【特許文献】
【０００４】
【特許文献１】特許３７３３２４０号公報
【発明の概要】
【発明が解決しようとする課題】
【０００５】
しかしながら、レンズ交換の可能な撮像装置であって、交換レンズを回転させずに交換レンズを撮像装置本体に対して直進させて着脱するマウント構造の場合、互いの接点端子部が擦れ合わない。そのため、交換レンズの着脱の際に、所謂セルフクリーニング動作が行われず、これが原因で接触不良が起こるおそれがある。つまり、交換レンズを非回転で撮像装置本体に着脱する従来のストレート嵌合では、接点端子部の接触信頼性に問題がある。
【０００６】
本発明は、交換レンズを非回転で撮像装置本体に着脱するストレート嵌合式のレンズマウントにおいて、接点端子部の接触信頼性を高める技術を提供することを目的とする。
【課題を解決するための手段】
【０００７】
本発明に係るレンズマウントは、交換レンズと撮像装置本体との間で電気信号通信を行う撮像装置において前記交換レンズを前記撮像装置本体に対して着脱するために前記撮像装置本体に設けられるレンズマウントであって、前記交換レンズのレンズ側マウント部が落とし込まれる開口部を有する本体側マウント部と、前記交換レンズが前記撮像装置本体に装着された状態で、前記交換レンズに設けられたレンズ側接点端子部に対して付勢されて前記レンズ側接点端子部と接触する本体側接点端子部とを有し、前記レンズ側マウント部が前記本体側マウント部の前記開口部に光軸方向に沿って落とし込まれ、前記レンズ側接点端子部と前記本体側接点端子部とが接触したときに前記レンズ側マウント部と前記本体側マウント部との間に隙間が形成されていることによって前記レンズ側接点端子部と前記本体側接点端子部とが光軸に略垂直な方向で擦れ合うことを特徴とする。
【発明の効果】
【０００８】
本発明によれば、交換レンズを非回転で撮像装置本体に着脱するストレート嵌合式のレンズマウントにおいて、交換レンズを装着する際に交換レンズの接点端子部と撮像装置本体の接点端子部とが互いに擦れ合うことにより、セルフクリーニング効果が得られる。これにより、接点端子部の接触信頼性を確保することができる。
【図面の簡単な説明】
【０００９】
【図１】本発明の実施形態に係るレンズマウントを備える撮像装置の外観を示す斜視図である。
【図２】交換レンズを撮像装置本体に対して着脱するために撮像装置本体に設けられた本体側マウント部の外観斜視図である。
【図３】交換レンズを撮像装置本体の本体側マウント部に対して着脱するために交換レンズに設けられたレンズ側マウント部の外観斜視図である。
【図４】図１に示す矢視Ｚ−Ｚ断面図であり、レンズ側マウント部が撮像装置本体に落とし込まれた状態を示す断面図である。
【図５】図１に示す矢視Ｚ−Ｚ断面図であり、交換レンズが撮像装置本体に固定された状態を示す断面図である。
【図６】本実施形態に係るレンズマウントの概略構成を撮像装置の正面側から見て示す分解斜視図である。
【図７】本実施形態に係るレンズマウントの概略構成を撮像装置の背面側から見て示す分解斜視図である。
【図８】交換レンズのレンズ側マウント部の要部を交換レンズの背面側から見て示す斜視図である。
【図９】交換レンズを撮像装置本体に装着する際のレンズマウントの構成要素の動きを経時的に示す正面図である。
【図１０】図９中の矢視Ａ−Ａ、矢視Ｂ−Ｂ及び矢視Ｃ−Ｃの各断面図である。
【図１１】図９中のＤ部拡大図、Ｅ部拡大図及びＦ部拡大図である。
【発明を実施するための形態】
【００１０】
以下、本発明の実施の形態について、添付図面を参照して詳細に説明する。
【００１１】
＜撮像装置の外観構造＞
図１は、本発明の実施形態に係るレンズマウントを備える撮像装置の外観を示す斜視図である。撮像装置は、撮像装置本体２００に対して交換レンズ１００が装着されて構成されており、交換レンズ１００は撮像装置本体２００に対して着脱自在である。撮像装置本体２００は、使用者が撮影時等に撮像装置を把持するためのグリップ部２０１と、撮影映像の表示や撮影条件の情報表示等を使用者に視認させるためのファインダ２０２とを備えている。
【００１２】
＜レンズマウントの外観構造＞
図２は、交換レンズ１００を撮像装置本体２００に対して着脱するために撮像装置本体２００に設けられた本体側マウント部の外観斜視図である。本体側マウント部では、固定マウント部２２０に形成されている開口部の内側にマウント接点端子ユニット１０１が配置されており、マウント接点端子ユニット１０１は、本体側接点端子部としてのマウント接点端子ピン１０２を備えている。マウント接点端子ピン１０２は、交換レンズ１００が装着されたときに、交換レンズ１００が備えるレンズ側接点端子部としてのレンズ接点端子片１０４（図３参照）と接触し、これにより、交換レンズ１００と撮像装置本体２００との間で電気信号通信が可能となる。なお、マウント接点端子ピン１０２はそれぞれ、交換レンズ１００装着側に向けて、バネ等の弾性部材（不図示）によって付勢されており、弾性部材の変形量（伸縮量）だけ光軸方向でスライド可能となっている。
【００１３】
図３は、交換レンズ１００を撮像装置本体２００の本体側マウント部に対して着脱するために交換レンズ１００に設けられたレンズ側マウント部１１０の外観斜視図である。レンズ側マウント部１１０の内径側には、複数のレンズ接点端子片１０４を備えるレンズ接点端子ユニット１０３が設けられている。
【００１４】
＜撮像装置本体２００に対する交換レンズ１００の装着方法＞
撮像装置本体２００に交換レンズ１００を装着する場合、先ず、レンズ側マウント部１１０を、固定マウント部２２０との装着位置に合わせて撮像装置本体２００に対して略光軸方向に移動させ、固定マウント部２２０に嵌め込む。その後、回転操作部材１０９ａ，１０９ｂ（図２参照）を回動させて可動マウント部２４０を回転させる。これにより、レンズ側マウント部１１０が固定マウント部２２０に密着係合され、撮像装置本体２００に対する交換レンズ１００の装着が完了する。
【００１５】
なお、回転操作部材１０９ａ，１０９ｂは、可動マウント部２４０に固定されている後述の腕部２６０ａ，２６０ｂ（図６，７参照）と連結されており、腕部２６０ａ，２６０ｂは、後述するロック機構を構成する。本実施形態では、撮像装置本体２００が有するマウント接点端子ピン１０２を可動ピンとし、交換レンズ１００が有するレンズ接点端子片１０４を固定端子としている。但し、これに限定されるものではなく、これとは逆に、撮像装置本体２００側を固定端子とし、交換レンズ１００側を可動端子としてもよく、製品である撮像装置の構成に応じた設計が可能である。
【００１６】
＜レンズマウントの嵌合構造＞
図４は、図１に示す矢視Ｚ−Ｚ断面図である。図４（ａ）には、交換レンズ１００のレンズ側マウント部１１０が撮像装置本体２００に落とし込まれ、レンズ接点端子片１０４とマウント接点端子ピン１０２とが接触した状態が示されている。図４（ｂ）には、図４（ａ）に示すＡ部の拡大図、すなわち、レンズ側マウント部１１０を撮像装置本体２００の固定マウント部２２０の開口部に落とし込むための案内部の拡大図が示されている。
【００１７】
図４（ａ），（ｂ）に示す状態では、交換レンズ１００は撮像装置本体２００に対して固定されてはいない。なお、交換レンズ１００が撮像装置本体２００に対して固定された状態については、図５を参照して後述する。すなわち、図４（ａ），（ｂ）の図示位置は、交換レンズ１００が有するレンズ接点端子片１０４と撮像装置本体２００が有するマウント接点端子ピン１０２とが接触を開始する位置である。
【００１８】
図４（ａ）に示すように、マウント接点端子ピン１０２は、移動ストローク１０６ｂの位置、すなわち、不図示の弾性部材により付勢されて交換レンズ１００側に突出した位置にある。また、レンズ側マウント部１１０のレンズ側マウント面１１１と固定マウント部２２０の本体側マウント面２２１とは離間している。また、図４（ｂ）に示すように、レンズ側マウント部１１０のマウント嵌合部１３１と固定マウント部２２０の固定マウント嵌合部２２５とは、離間している。なお、マウント嵌合部１３１と固定マウント嵌合部２２５とは、嵌合した際に径方向（光軸と直交する方向）で位置が決まる寸法及び公差に設定されている。
【００１９】
レンズ側マウント部１１０には、マウント嵌合部１３１に続くテーパ状のレンズ側案内部１３２が設けられており、固定マウント部２２０には、固定マウント嵌合部２２５に続く本体側案内部２２６が設けられている。レンズ側マウント部１１０を固定マウント部２２０の開口部に落とし込む際には、これらのレンズ側案内部１３２と本体側案内部２２６とが互いに接触する。これにより、固定マウント部２２０の開口部へのレンズ側マウント部１１０の落とし込みを容易に行うことができる。なお、本実施形態では、テーパ形状を有するレンズ側案内部１３２と本体側案内部２２６を組み合わせたが、これに限定されず、部品構成や使い勝手を考慮した案内部を設定することができる。
【００２０】
接点端子部（マウント接点端子ピン１０２，レンズ接点端子片１０４）どうしが接触する位置では、図４（ｂ）に示すように、レンズ側マウント部１１０のレンズ側案内部１３２と固定マウント部２２０の本体側案内部２２６との間に隙間１０７が形成される。レンズ側マウント部１１０のマウント嵌合部１３１は、隙間１０７の範囲で光軸方向と直交する方向で微動させながらレンズ側案内部１３２と本体側案内部２２６に沿って固定マウント部２２０の固定マウント嵌合部２２５に対して光軸方向に案内される。このとき、接点端子部どうしが接触した状態で擦れ方向指示線Ｂの方向（光軸に略垂直な方向）で擦れ合いながら、レンズ側マウント部１１０が固定マウント部２２０の開口部に落とし込まれる。
【００２１】
このように、本実施形態では、交換レンズ１００を撮像装置本体２００に対して装着する際に、レンズ側案内部１３２と本体側案内部２２６との間の隙間１０７の範囲内で、接点端子部どうしが接触し、光軸方向と直交する方向で擦れ合う。これにより、接点端子部に付着した不純物等を除去する動作（所謂、セルフクリーニング動作）が行われることになり、接点端子部どうしの電気的な接触の信頼性を高めることができる。
【００２２】
図５は、交換レンズ１００が撮像装置本体２００に固定された状態を示す断面図であり、図４と同様に図１の矢視Ｚ−Ｚ断面で示している。交換レンズ１００が撮像装置本体２００に固定された状態では、レンズ側マウント部１１０のレンズ側マウント面１１１と固定マウント部２２０の本体側マウント面２２１とが光軸方向で互いに密着する。これと同時に、レンズ側マウント部１１０のマウント嵌合部１３１と固定マウント部２２０の固定マウント嵌合部２２５とが、光軸と直交する方向（径方向）において嵌合する。そして、交換レンズ１００のレンズ接点端子片１０４と撮像装置本体２００のマウント接点端子ピン１０２とが接触する。
【００２３】
接点端子部（レンズ接点端子片１０４，マウント接点端子ピン１０２）の接触圧を確保するためには、マウント接点端子ピン１０２のストロークが必要になる。本実施形態では、交換レンズ１００が撮像装置本体２００に固定される際に、レンズ接点端子片１０４がマウント接点端子ピン１０２を撮像装置本体２００の内部に向かって押し込む。これにより、マウント接点端子ピン１０２を交換レンズ１００側に付勢している弾性部材（不図示）が縮み、マウント接点端子ピン１０２に移動ストローク１０６ａが発生し、接点端子部に接触荷重が加えられ、必要な接触圧を得ることができる。
【００２４】
よって、交換レンズ１００を回転させずに撮像装置本体２００に固定するレンズマウントであっても、交換レンズ１００を撮像装置本体２００に装着する際に、接点端子部が擦れ合うセルフクリーニング動作が行われる。これにより、接点端子部の接触信頼性を確保することができる。
【００２５】
＜撮像装置本体２００に対する交換レンズ１００の固定方法＞
次に、撮像装置本体２００に対して交換レンズ１００を固定するロック機構について説明する。図６は、本実施形態に係るレンズマウントの概略構成を撮像装置の正面側から見て示す分解斜視図である。また、図７は、本実施形態に係るレンズマウントの概略構成を撮像装置の背面側から見て示す分解斜視図である。図８は、交換レンズ１００のレンズ側マウント部１１０の要部を交換レンズ１００の背面側から見て示す斜視図である。
【００２６】
レンズマウントの構成要素として、交換レンズ１００は、レンズ側マウント部１１０を有する。レンズ側マウント部１１０は、レンズ側マウント面１１１と、バヨネット爪部１１２ａ，１１２ｂ，１１２ｃを有する。バヨネット爪部１１２ａ〜１１２ｃは、図８に示すように、バヨネット爪接触面１１３ａ，１１３ｂ，１１３ｃを有する。
【００２７】
レンズマウントの構成要素として、撮像装置本体２００が備える本体側マウント部は、固定部２１０、固定マウント部２２０、可動マウント部２４０及び腕部２６０ａ，２６０ｂを有する。固定部２１０は、第１の締結部２１１ａ，２１１ｂ，２１１ｃ，２１１ｄを有し、第１の締結部２１１ａ〜２１１ｄにはタップが切られている。
【００２８】
固定マウント部２２０は、本体側マウント面２２１、開口部２２２、雌ねじ部２２３（第１のねじ部）、貫通穴２２４ａ，２２４ｂ，２２４ｃ，２２４ｄ、第１の当接面２３１及び第２の当接面２３２を有する。本体側マウント面２２１は、レンズ側マウント部１１０のレンズ側マウント面１１１と当接する。開口部２２２には、レンズ側マウント部１１０のバヨネット爪部１１２ａ〜１１２ｃが挿通する。雌ねじ部２２３は、光軸を中心にして設けられている。ビスが、貫通穴２２４ａ〜２２４ｄに挿通されて固定部２１０の締結部２１１ａ〜２１１ｄに締結される。これにより、固定マウント部２２０は固定部２１０に固定される。
【００２９】
可動マウント部２４０は、爪部２４１ａ，２４１ｂ，２４１ｃ、雄ねじ部２４３（第２のねじ部）及び締結部２４４ａ，２４４ｂ，２４４ｃ，２４４ｄを有する。爪部２４１ａ〜２４１ｃは、レンズ側マウント部１１０のバヨネット爪部１１２ａ〜１１２ｃと当接する爪接触面２４２ａ，２４２ｂ，２４２ｃを有する。雌ねじ部２２３は雄ねじ部２４３と螺合し、締結部２４４ａ〜２４４ｄには、タップが切られている。
【００３０】
腕部２６０ａ，２６０ｂは同等構造を有する。図２及び図３に示すように、腕部２６０ａ，２０６ｂはそれぞれ、腕部当接面２６５，２６６を有する。また、腕部２６０ａは貫通穴部２６４ａ，２６４ｂを有し、腕部２６０ｂは貫通穴部２６４ｃ，２６４ｄを有する。腕部２６０ａ，２６０ｂは、第１の固定部２１０と固定マウント部２２０とに挟まれた領域において、可動マウント部２４０に対して突設される。貫通穴部２６４ａ〜２６４ｄに挿通されたビスは、締結部２４４ａ〜２４４ｄに締結され、これにより腕部２６０ａ，２６０ｂは可動マウント部２４０に固定される。
【００３１】
＜交換レンズ１００の撮像装置本体２００に対する装着方法＞
図９は、交換レンズ１００を撮像装置本体２００に装着する際のレンズマウントの構成要素の動きを経時的に示す正面図である。図９（ａ）は、レンズ側マウント部１１０のバヨネット爪部１１２ａ〜１１２ｃと可動マウント部２４０の爪部２４１ａ〜２４１ｃとが光軸投影上で重なっておらず、よって、交換レンズ１００が撮像装置本体２００に対して着脱可能な状態を示している。このとき、固定マウント部２２０の第１の当接面２３１と腕部２６０ａ，２６０ｂの腕部当接面２６５とが当接している。
【００３２】
図９（ｂ）は、可動マウント部２４０を固定マウント部２２０に対して撮像装置の正面から見て光軸を中心にして反時計回りに回転させることにより、バヨネット爪部１１２ａ〜１１２ｃと爪部２４１ａ〜２４１ｃとが光軸投影上で重なった状態を示している。なお、回転操作部材１０９ａ，１０９ｂを回動させることにより、可動マウント部２４０を回転させる。
【００３３】
図９（ｃ）は、可動マウント部２４０の爪接触面２４２ａ〜２４２ｃとレンズ側マウント部１１０のバヨネット爪接触面１１３ａ〜１１３ｃとが当接するまで可動マウント部２４０を回転させた状態を示している。すなわち、図９（ｃ）の状態では、交換レンズ１００は、撮像装置本体２００に固定されている。このとき、固定マウント部２２０の第２の当接面２３２と腕部２６０ａ，２６０ｂの腕部当接面２６６とが当接している。
【００３４】
図１０（ａ）は、図９（ａ）中の矢視Ａ−Ａ断面図であり、図１０（ｂ）は、図９（ｂ）中の矢視Ｂ−Ｂ断面図であり、図１０（ｃ）は、図９（ｃ）中の矢視Ｃ−Ｃ断面図である。また、図１１（ａ）は、図９（ａ）中のＤ部拡大図であり、図１１（ｂ）は、図９（ｂ）中のＥ部拡大図であり、図１１（ｃ）は、図９（ｃ）中のＦ部拡大図である。ここで、図１０（ｂ）に示すように、交換レンズ１００のレンズ側マウント面１１１からバヨネット爪接触面１１３ａまでの距離を「距離α」とする。また、固定マウント部２２０の本体側マウント面２２１と可動マウント部２４０の爪接触面２４２ａとの間の距離を「距離β」とする。
【００３５】
図１０（ａ）の状態では、レンズ側マウント部１１０のバヨネット爪部１１２ａ〜１１２ｃが固定マウント部２２０の開口部２２２に落とし込まれ、レンズ側マウント部１１０のレンズ側マウント面１１１と固定マウント部２２０の本体側マウント面２２１とが当接している。この状態では、図１１（ａ）に示すように、バヨネット爪部１１２ａ〜１１２ｃは爪部２４１ａ〜２４１ｃと係合していない。
【００３６】
図１０（ｂ）の状態では、雌ねじ部２２３と雄ねじ部２４３とが螺合しているため、可動マウント部２４０の回転にしたがって、爪部２４１ａ〜２４１ｃが光軸方向に沿って固定部２１０に向かって移動する。図１０（ｃ）の状態では、可動マウント部２４０の回転が終了している。可動マウント部２４０の爪部２４１ａ〜２４１ｃの爪接触面２４２ａ〜２４２ｃは、交換レンズ１００のバヨネット爪部１１２ａ〜１１２ｃのバヨネット爪接触面１１３ａ〜１１３ｃと当接している。つまり、交換レンズ１００は、撮像装置本体２００に対して、がたつきのない状態で固定されている。
【００３７】
ここで、本実施形態に係るレンズマウントを従来のレンズマウントと対比する。ねじ式レンズマウントの場合、図１０（ｃ）で当接している爪接触面２４２ａ〜２４２ｃとバヨネット爪接触面１１３ａ〜１１３ｃの役割を持つ面を、撮像装置本体２００の本体側マウント面２２１よりも交換レンズ１００側に設ける必要がある。そのため、ねじ式レンズマウントは、撮像装置本体２００の小型化に不向きである。一方、一般的なバヨネット式レンズマウントの場合、本実施形態（図１０（ｃ））において当接している可動マウント部２４０の爪接触面２４２ａ〜２４２ｃと交換レンズ１００のバヨネット爪接触面１１３ａ〜１１３ｃとの間に、隙間が存在する。つまり、“距離α＞距離β”の関係となっており、その隙間を埋めるためにバネ部材を用いているが、このバネ部材のたわみ分だけ、交換レンズががたつくこととなる。
【００３８】
これに対して、本実施形態に係るレンズマウントは、撮像装置本体２００の本体側マウント面２２１よりも固定部２１０側（撮像装置本体２００の内部側）に、交換レンズ１００を撮像装置本体２００に固定する構造を持つ。そのため、ねじ式レンズマウントよりも、撮像装置本体２００の小型化に有利である。また、従来のバヨネット式レンズマウントと比較すると、可動マウント部２４０の爪接触面２４２ａ〜２４２ｃと交換レンズ１００のバヨネット爪接触面１１３ａ〜１１３ｃとの間に隙間が無いため、交換レンズ１００のがたつきが防止される点で有利である。
【００３９】
なお、本実施形態では、雄ねじ部２４３と雌ねじ部２２３を、例えば、左ねじ、ねじ送り量：２ｍｍ、ねじピッチ：１ｍｍで構成することができる。また、雄ねじ部２４３と雌ねじ部２２３とは、既存のバヨネット式レンズマウントの交換レンズ１００の取り付け回転方向が撮像装置本体２００に対して時計回りであれば左ねじとなり、反時計回りであれば右ねじとなる。
【００４０】
ねじ送り量が大きいほど、少ない回動操作量で大きな光軸方向の移動距離が得られる。つまり、ねじ送り量を大きくすると、回動操作量に対する距離βの移動量が大きくなる。例えば、距離αがレンズ側マウント部１１０の個体差に起因してばらついていても、このばらつきを上回る距離を少ない回転動作量で移動可能になるため、交換レンズ１００を確実に締結し、固定することができる。逆に、ねじ送り量が小さいと、締め付け軸力が大きくなる。つまり、交換レンズ１００を取り付けたときの締結力を大きくする場合は、ねじ送り量を小さくする必要がある。このように、雄ねじ部２４３と雌ねじ部２２３のねじ送り量は、必要な特性が得られるように、適切に設定する必要がる。
【００４１】
また、雄ねじ部２４３と雌ねじ部２２３において、螺合するねじ山の数を多くすると、雄ねじ部２４３と雌ねじ部２２３への応力集中を分散させることができる。よって、狭いスペースで螺合するねじ山の数を多くし、且つ、確実な締結と大きな締め付け軸力とを得るためには、ねじピッチが小さく、且つ、ねじ送り量の大きい、多条ねじを用いることが好ましい。なお、本実施形態における雄ねじ部２４３と雌ねじ部２２３との間には、摺動グリスが塗布される。これにより、雄ねじ部２４３と雌ねじ部２２３との摺動回動時のざらつきを抑え、耐久性能と摺動感を向上させることができる。
【００４２】
以上の説明の通り、本実施形態によれば、交換レンズ１００の撮像装置本体２００に対する着脱操作性を高めると共に堅牢な固定を可能とし、且つ、接点端子部でのセルフクリーニング動作によって接点端子部どうしの電気的な接触の信頼性を高めることができる。
【００４３】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４４】
１００    交換レンズ
１０２    マウント接点端子ピン（本体側接点端子部）
１０４    レンズ接点端子片（レンズ側接点端子部）
１０７    隙間
１１１    レンズ側マウント面
１１２ａ〜１１２ｃ    バヨネット爪部
１３２    レンズ側案内部
２００    撮像装置本体
２２０    固定マウント部
２２１    本体側マウント面
２２３    雌ねじ部（第１のねじ部）
２２６    本体側案内部
２４０    可動マウント部
２４１ａ〜２４１ｃ    爪部
２４３    雄ねじ部（第２のねじ部）
【図１】
2013218151.tif 000003
【図２】
2013218151.tif 000004
【図３】
2013218151.tif 000005
【図４】
2013218151.tif 000006
【図５】
2013218151.tif 000007
【図６】
2013218151.tif 000008
【図７】
2013218151.tif 000009
【図８】
2013218151.tif 000010
【図９】
2013218151.tif 000011
【図１０】
2013218151.tif 000012
【図１１】
2013218151.tif 000013